(57)【要約】【課題】筐体の外部にアンテナを備えた場合においても静電気の影響を低減することのできる無線機器を提供する。【解決手段】無線機器は、回路基板（３）と、回路基板上に設けられた通信動作部と、回路基板及び通信動作部を内部に収容し、側面部に貫通孔を有する筐体（２ａ、２ｂ）と、筐体の外部に設けられたアンテナ素子と、貫通孔を通って筐体を貫通して所定の給電位置で通信動作部からアンテナ素子に給電する給電素子と、貫通孔を通って筐体を貫通して、アンテナ素子上で給電位置から所定距離離隔した接地端部（４２）と回路基板とを電気的に接続する接地部材（２２、２４、２１２、３５）と、を備える。【選択図】図３
2018129573.tif 000002
【特許請求の範囲】
【請求項１】
回路基板と、
当該回路基板上に設けられた通信動作部と、
前記回路基板及び前記通信動作部を内部に収容する筐体であって、当該筐体の側面部に貫通孔を有する筐体と、
当該筐体の外部に設けられたアンテナ素子と、
前記筐体の前記貫通孔を通って当該筐体を貫通して所定の給電位置で前記通信動作部から前記アンテナ素子に給電する給電素子と、
前記筐体の前記貫通孔を通って当該筐体を貫通して、前記アンテナ素子上で前記給電位置から所定距離離隔した接地位置と前記回路基板とを電気的に接続する接地部材と、
を備えることを特徴とする無線機器。
【請求項２】
前記接地部材は、
前記筐体を貫通して設けられた柱状の接地素子と、
前記接地素子に固定されて当該接地素子と前記接地位置とを電気的に接続する接続部材と、
を含むことを特徴とする請求項１記載の無線機器。
【請求項３】
前記接地素子は、前記通信動作部に電力を供給するバッテリを充電する充電端子の接地電圧供給経路であることを特徴とする請求項２記載の無線機器。
【請求項４】
前記接地部材は、固定されて前記アンテナ素子と前記回路基板との間を接続していることを特徴とする請求項１〜３のいずれか一項に記載の無線機器。
【請求項５】
前記接地部材の固定は、少なくとも一部がねじ止めによりなされていることを特徴とする請求項４記載の無線機器。
【請求項６】
前記筐体の内部への水分の侵入を防ぐ防水構造を備えることを特徴とする請求項１〜５のいずれか一項に記載の無線機器。
【請求項７】
前記通信動作部は、測位衛星からの電波を受信する衛星電波受信処理部を有し、
前記アンテナ素子の前記接地位置は、前記測位衛星からの受信電波の波長に応じて定められる
ことを特徴とする請求項１〜６のいずれか一項に記載の無線機器。
【請求項８】
前記貫通孔は、前記給電素子が貫通する第１の貫通孔と、前記接地部材が貫通する第２の貫通孔とを備えることを特徴とする請求項１〜７のいずれか一項に記載の無線機器。
【発明の詳細な説明】
【技術分野】
【０００１】
この発明は、無線機器に関する。
【背景技術】
【０００２】
米国のＧＰＳ（Global Positioning System）といった測位衛星からの電波を受信して測位や日時情報の取得を行うことのできる電子時計などの携帯型、特に腕などの身体に装着可能な電子機器（無線機器）がある。この無線機器は、電波を受信するためのアンテナを備えている。
【０００３】
この無線機器では、無線機器のサイズに応じてアンテナを小型化する必要がある。また、アンテナを無線機器の筐体内に設けると、筐体や各種部品の影響で電波受信強度が低下しやすいという問題がある。特許文献１には、筐体の外側で表示画面の周囲に円弧状に設けられたアンテナ部材に対して筐体に設けられた挿通孔を介して給電し、信号を取得する技術が開示されている。
【先行技術文献】
【特許文献】
【０００４】
【特許文献１】特開２０００−５９２４１号公報
【発明の概要】
【発明が解決しようとする課題】
【０００５】
しかしながら、筐体の外部にアンテナを備えた場合、筐体の内部にアンテナを備えた場合に比べて静電気の影響を受けやすいという課題がある。
【０００６】
この発明の目的は、筐体の外部にアンテナを備えた場合においても静電気の影響を低減することのできる無線機器を提供することにある。
【課題を解決するための手段】
【０００７】
上記目的を達成するため、本発明は、
回路基板と、
当該回路基板上に設けられた通信動作部と、
前記回路基板及び前記通信動作部を内部に収容する筐体であって、当該筐体の側面部に貫通孔を有する筐体と、
当該筐体の外部に設けられたアンテナ素子と、
前記筐体の前記貫通孔を通って当該筐体を貫通して所定の給電位置で前記通信動作部から前記アンテナ素子に給電する給電素子と、
前記筐体の前記貫通孔を通って当該筐体を貫通して、前記アンテナ素子上で前記給電位置から所定距離離隔した接地位置と前記回路基板とを電気的に接続する接地部材と、
を備えることを特徴とする無線機器である。
【発明の効果】
【０００８】
本発明に従うと、無線機器において筐体の外部にアンテナを備えた場合においても静電気の影響を低減することのできることができるという効果がある。
【図面の簡単な説明】
【０００９】
【図１】本発明の無線機器の実施形態の構成を説明する図である。
【図２】無線機器の断面の一部を示す図である。
【図３】アンテナ素子の接地構造について説明する図である。
【発明を実施するための形態】
【００１０】
以下、本発明の実施の形態を図面に基づいて説明する。
図１は、本発明の無線機器の実施形態の構成を説明する図である。
この無線機器１は、正面に表示部が設けられた腕時計型ウェアラブル端末（スマートウォッチ）であり、図１では、カバー部材５、タッチパネル６及び表示部７（図２参照）を取り外した場合の内部を正面から見た図を示す。なお、本発明に関係のない構成については、一部省略されている。
【００１１】
無線機器１は、筐体２と、回路基板３と、押しボタンスイッチＰ１、Ｐ２と、アンテナ素子４などを備える。
【００１２】
筐体２は、内部に回路基板３、タッチパネル６及び表示部７を収容する。筐体２は、環状の内面を有する側面部材２ａと、当該側面部材２ａの一方の開口（図１の面より奥側）を封止する形でねじ止めされる裏蓋２ｂとを有する。側面部材２ａの他方の開口（図１の面より手前側）は、透明なカバー部材５により覆われることで、内部に回路基板３、タッチパネル６及び表示部７が封止される。ここでは、側面部材２ａが樹脂などの絶縁部材であり、裏蓋２ｂが導電性部材であるが、これに限られない。筐体２及びカバー部材５は、筐体２の内部に所定の圧力以上の水分（湿気）が侵入しないように、例えば、ガスケット２５（図２（ｂ）参照）などにより防水性を有して封止、密閉される構造（防水構造）となっている。
【００１３】
筐体２の側面には、図１の下方側に２つの押しボタンスイッチＰ１、Ｐ２が設けられており、筐体２の内側に向かって押下されることで操作信号が出力されて回路基板３上に設けられた図示略の制御部に伝えられる。また、筐体２の側面部材２ａには、図１の左側及び右側にそれぞれユーザの腕に装着するためのバンドの接続部位が設けられている。両側の接続部位にそれぞれ隣り合って筐体２の外側に金属部材２２、２３が設けられている。側面部材２ａには、その他、組み立て用の部品やデザイン上の追加部品などが設けられていても良い。
【００１４】
回路基板３には、無線機器１の動作に係る各種電子部品及び回路が設けられている。この電子部品には、測位衛星からの電波受信に係る動作を行う通信動作部３１（衛星電波受信処理部）と、上述の制御部とに係るチップ（ＩＣチップ）が含まれる。また、各部に電力を供給する電力供給部及びバッテリ８（ここでは、充電池）が回路基板３近傍に設けられている。そして、通信動作部３１を含む各種電子部品、回路、電力供給部及びバッテリ８は、各々回路基板３における電源パターン（電源配線）、接地パターン（ＧＮＤ配線）などの対応する適切な信号パターン（信号配線）と接続している。
【００１５】
筐体２の側面には、また、充電端子２１が設けられている。この充電端子２１が外部電源と所定のケーブルなどを介して接続されて当該外部電源から電力供給を受けることで、通信動作部３１などの各部に対して電力を供給する電力供給部のバッテリ８が充電される。
【００１６】
アンテナ素子４は、筐体２の側面部材２ａの表面に沿って当該筐体２の外面側を円弧状に取り巻いて配置された曲線状（曲面状）の導電性部材である。側面部材２ａが導電性物質の場合には、アンテナ素子４と側面部材２ａとの間には、絶縁シートなどが配置されて絶縁される。アンテナ素子４は、通信動作部３１による測位衛星からの電波受信に対応して設けられる。すなわち、アンテナ素子４の長さは、測位衛星からの電波受信周波数、ここでは、Ｌ１帯（ＧＰＳ衛星では、１．５７５４２ＧＨｚ）に応じて定められる。
【００１７】
アンテナ素子４は、一端が給電点（給電位置）とされて、回路基板３上に設けられた通信動作部３１から適切に給電が行われる。また、アンテナ素子４は、給電点から所定距離離隔した位置、ここでは、金属部材２２と重なる方向に接地端部４２（接地位置）が設けられ、この接地端部４２は、ねじ４２１（ビス）により金属部材２２に固定されている。給電点と接地端部４２との距離は、受信電波の波長に応じて感度の良い適切な位置に定められる。
【００１８】
図２は、無線機器１の断面の一部をそれぞれ示す図である。図２（ａ）は、図１の断面線Ａ１−Ａ２に沿った断面図であり、図２（ｂ）は、図１の断面線Ｂ１−Ｂ２に沿った断面図である。
【００１９】
図２（ａ）に示す断面Ａ１−Ａ２は、通信動作部３１とアンテナ素子４の一端とを含み、通信動作部３１からアンテナ素子４への給電が行われる面である。上述のように、側面部材２ａの一方の面（底面）が裏蓋２ｂで封止され、内部には、回路基板３、表示部７及びタッチパネル６が順番に積層されて、上面がカバー部材５によって覆われている。カバー部材５及びタッチパネル６は、透明な部材であって、表示部７により表示される画像が透過されて外部から視認可能となっている。
【００２０】
表示部７は、バックライトユニット７ａと、液晶表示画面７ｂとを備える。バックライトユニット７ａから出射された光は、液晶表示画面７ｂを各画素位置における偏向状態に応じて選択的に透過し、タッチパネル６及びカバー部材５を通過して外部に出力されることで画像が表示される。
【００２１】
タッチパネル６は、ユーザのカバー部材５への接触状態（位置や動き）を検知して回路基板３の制御部に出力する。タッチパネル６の接触検知には、赤外線、静電気や圧力など従来周知のものが適宜用いられる。カバー部材５は、当該接触動作がタッチパネル６に伝わる材質及び取り付け状態である必要がある。
【００２２】
アンテナ素子４の給電側の端部には、筐体２の側面部材２ａを貫通して通信動作部３１と接続する給電素子４１が接触している。より詳細に説明すると、給電素子４１は、給電ピン４１１と、板ばね部材４１２とを含み、給電ピン４１１は、筐体２の側面部材２ａに設けられた貫通孔（第１の貫通孔）を通って通信動作部３１と接続している。筐体２の内部では、板ばね部材４１２が一端において半田３３で半田付けにより回路基板３に固定され、他端において給電ピン４１１に固定されている。すなわち、アンテナ素子４は、給電ピン４１１及び板ばね部材４１２を介して通信動作部３１に接続されて給電され、また、アンテナ素子４が受信した電波信号がこれら給電ピン４１１及び板ばね部材４１２を介して通信動作部３１に伝えられる。給電ピン４１１が筐体２を貫通する部分（筐体２の内部や内側）には、防水性を維持するための防水部材４１３、例えば、樹脂などが充填されたり、Ｏリング状のガスケットが設けられたりしている。
【００２３】
図２（ｂ）に示す断面Ｂ１−Ｂ２は、金属部材２２を含む面である。
金属部材２２には、板ばね部材２２１の一端側が接触して固定されている。この板ばね部材２２１の他端側は裏蓋２ｂに接触している。裏蓋２ｂは、コイルばね３７を介して回路基板３と電気的に接続されている。張力がかかっていない状況でのコイルばね３７は、裏蓋２ｂが固定されたときの回路基板３と裏蓋２ｂとの距離より長く、一端が回路基板３に接着されている。したがって、裏蓋２ｂが固定されると、コイルばね３７の他端側が裏蓋２ｂに接触、圧縮されて縮んだ状態で保たれる。これにより、回路基板３と裏蓋２ｂとを電気的に接続する。この結果、金属部材２２は、板ばね部材２２１、裏蓋２ｂ及びコイルばね３７を介して基板接地される。
【００２４】
コイルばね３７は、裏蓋２ｂに対して固定されていないので、無線機器１（ユーザ）の運動状態などによりコイルばね３７の伸縮や裏蓋２ｂへの接触状態が変化し得る。これにより、金属部材２２から回路基板３へのこの接地経路における電気抵抗は、安定しない傾向がある。また、裏蓋２ｂは、外部に広い面積で露出し、かつユーザに接触する面であることから耐久性が要求されるので、必ずしも電気抵抗の小さい材質を好適に用いることができない。すなわち、この接地経路の電気抵抗（インピーダンス）は、必ずしも低くなく、また、あまり安定しない。
本実施形態の無線機器１では、この接地経路に加えてより安定で抵抗損失の小さい接地経路が設けられる。
【００２５】
図３は、本実施形態の無線機器１におけるアンテナ素子４の接地構造について説明する図である。
図３（ａ）は、断面線Ｂ１−Ｂ２におけるＢ１の側から筐体２の外側を見たときの側面の一部を示す図である。また、図３（ｂ）は、断面線Ｃ１−Ｃ２におけるＣ１の側から筐体２の外側を見たときの側面の一部を示す図である。図３（ｃ）は、断面線Ｃ１−Ｃ２に沿った断面を示す図である。
【００２６】
アンテナ素子４の接地端部４２が接続された金属部材２２は、腕部２２ａが充電端子２１へ伸びている。この腕部２２ａには、ねじ２４１により導電性部材２４が接触固定されている。導電性部材２４は、ねじ２４１、２４２により充電端子２１にねじ止め固定されて接続されている。すなわち、金属部材２２及び導電性部材２４が充電端子２１への接続部材である。
【００２７】
図３（ｂ）、（ｃ）に係る断面線Ｃ１−Ｃ２には、充電端子２１が含まれる。充電端子２１は、筐体２を貫通して設けられた中央ピン２１１と接地ピン２１２（接地素子、接地電圧供給経路）の２本の柱状部材（ピン）に対してそれぞれ所定の印加電圧と接地電圧とが印加供給される。より詳細に説明すると、中央ピン２１１と接地ピン２１２は、筐体２の側面部材２ａに設けられた貫通孔（第２の貫通孔）を通り、筐体２の内部においてそれぞれ回路基板３の電源パターン及び接地パターンと接続している。中央ピン２１１が筐体２の外側へ露出された部分の周囲に円環状の接地外周面２１２ａが設けられ、接地外周面２１２ａの端部から柱状の接地ピン２１２が筐体２を貫通して内部に延びている。したがって、充電ケーブルの接続面は、この中央ピン２１１の露出部分と接地外周面２１２ａとに接触する二芯構造である。これら中央ピン２１１及び接地ピン２１２の貫通部分では、水分が浸入しないように防水部材２１３、樹脂などが充填されたりＯリング状のガスケットが設けられたりしている。
【００２８】
接地ピン２１２は、筐体２の内側で板ばね部材３５の一端側と接続されている。板ばね部材３５の他端側は、バッテリ８の接地側に接続される（図示略）とともに、半田３４で半田付けにより回路基板３に固定されることで基板接地されている。板ばね部材３５と接地ピン２１２との間は、ここでは、かみ合わせにより安定的に固定接続されているが、これらの間もねじを用いて固定することができる。
これらの中央ピン２１１、接地外周面２１２ａ、接地ピン２１２や板ばね部材３５には、電気伝導度の高い（抵抗の低い）材質やめっき（金めっきなど）が用いられることで、充電時の損失を低減させている。
【００２９】
環状の接地外周面２１２ａは、充電ケーブルのコネクタがこの充電端子２１に接続される場合に導電性部材２４が当該コネクタに接触しないように、ここでは、更に外側に引き出した部分が設けられており、この引き出し部分と導電性部材２４とが接続、固定される。
このようにして、アンテナ素子４は、接地端部４２が金属部材２２、導電性部材２４、充電端子２１の接地ピン２１２及び板ばね部材３５（まとめて接地部材２２、２４、２１２、３５）を介して基板接地されている。
【００３０】
このように、アンテナ素子４を給電点とは異なる位置で接地することで、適切に静電気を逃がすことができる。特に、ウェアラブル端末として用いられるような場合には、静電気により帯電しやすいので、アンテナ素子４を基板接地させておくことで静電気の影響を低減することができる。
【００３１】
以上のように、本実施形態の無線機器１は、回路基板３と、当該回路基板３上に設けられた通信動作部３１と、回路基板３及び通信動作部３１を内部に収容し、側面部に貫通孔を有する筐体２と、筐体２の外部に設けられたアンテナ素子４と、貫通孔を通って筐体２を貫通して所定の給電位置（アンテナ素子４の一端）で通信動作部３１からアンテナ素子４に給電する給電素子４１と、貫通孔を通って筐体２を貫通して、アンテナ素子４上で給電位置から所定距離離隔した接地端部４２と回路基板３とを電気的に接続する接地部材２２、２４、２１２、３５と、を備える。
このようにアンテナ素子４を基板接地させることで、アンテナ素子４の帯電を防ぐので、当該アンテナ素子４が筐体２の外部に設けられた場合でも、静電気の影響による受信した電波信号への影響や静電気による内部回路などの破壊のおそれを低減することができる。
また、筐体２を貫通させて回路基板３に接続するので、必要以上の遠回りを避けて接地することができ、これにより、接地経路自体の抵抗（インピーダンス）の増大を防いで、受信信号の歪みなどを抑制することができる。これらの構成により、より安定的に好適な受信感度を得やすくなる。特に、裏蓋２ｂやコイルばね３７を用いる場合と比較して、裏蓋２ｂとユーザとの接触状態など他の要因に左右されにくく、受信感度をより安定して維持しやすくなる。
【００３２】
また、接地部材は、筐体２を貫通して設けられた柱状の接地ピン２１２と、接地ピン２１２に固定されて当該接地ピン２１２と接地端部４２とを電気的に接続する接続部材である金属部材２２及び導電性部材２４と、を含む。抵抗損失の低減などのためには、接地端部４２が接地ピン２１２の位置と一致して最短距離で基板接地されるのが最も好ましいが、実際には給電位置との対応関係と、押しボタンスイッチＰ１、Ｐ２などの他の構成との位置関係などから、このような配置が困難な場合もある。その場合には、接地端部４２と接地ピン２１２との間を適切に接続部材により接続することで、必要以上に接地距離を伸ばさず、抵抗損失の増大を抑制する。
【００３３】
また、接地ピン２１２は、通信動作部３１に電力を供給するバッテリ８を充電する充電端子２１の接地電圧供給経路である。このように、スマートウォッチなどであれば比較的一般的に有している構成であり、かつ電力供給の効率上もともと抵抗値が小さい構成をアンテナ接地に併用することで、効率良く低損失で安定した基板接地の経路を形成し、電波受信強度を維持しつつ安定した受信を行うことが可能になる。
また、これにより、筐体２に孔部を新たに増やさなくてよいので、手間の増大、特に、防水性の確保に係る追加の手間を考慮する必要がない。
【００３４】
また、接地部材２２、２４、２１２、３５は、固定されてアンテナ素子４と回路基板３との間を接続している。すなわち、ばねの接触などのように不安定な接触状態としないことで、接続状態を安定に確保し、無線機器１（ユーザ）の使用状態や運動状態などによるインピーダンスの変化、特に一時的な増大などを抑え、受信状態を良好に保つことができる。
【００３５】
また、接地部材２２、２４、２１２、３５の固定は、少なくとも一部がねじ（４２１、２４１、２４２）によるねじ止めによりなされている。筐体２の外部に設けられる部品は、特に、オーバーホールやメンテナンスの際に取り外されることがある。従って、これらアンテナ素子４と接地部材（金属部材２２）との間をねじ止めによって通常の動作時には安定的に接続しつつ、取り外しが容易な状態とすることができる。
【００３６】
また、筐体２内部への水分の侵入を防ぐ防水構造を備える。特に、給電ピン４１１や接地ピン２１２などの貫通箇所のように筐体２に開口が設けられる部分について、直線状の貫通孔に柱状ピンを通す構成とすることで、隙間を残しにくい簡便な構造となり、防水構造を適切に維持しやすい。
【００３７】
また、通信動作部３１は、測位衛星からの電波を受信する衛星電波受信処理部を有し、アンテナ素子４の接地端部４２は、測位衛星からの受信電波の波長に応じて定められる。このように、十分な電波受信強度が得られにくい小型の無線機器で測位衛星の電波受信を行う場合に、アンテナ素子４を筐体２の外部に設けて電波の減衰を抑え、また、適切に接地することでアンテナ素子４の帯電による静電気の影響を防ぐことができる。これらにより、内部回路や無線機器１の破壊を防ぎつつ、好適に安定して電波の受信感度を維持して必要な位置や日時などの情報を得ることができる。
【００３８】
また、貫通孔は、給電ピン４１１が貫通する第１の貫通孔と、接地ピン２１２が貫通する第２の貫通孔とを備える。これにより、給電ピン４１１及び接地ピン２１２の配置や位置関係などに応じて適切な位置に短い距離で貫通孔を設けてアンテナ素子４への給電及びアンテナ素子４の適切な位置の接地を行うことができる。
【００３９】
なお、本発明は、上記実施の形態に限られるものではなく、様々な変更が可能である。
例えば、上記実施の形態では、円弧状のアンテナ素子４を例に挙げて説明したが、筐体外部に設けられるアンテナ素子であれば、他の形状、例えば、平面形状のアンテナでも良い。また、平面状にアンテナ経路が折り曲げられて設けられたものであっても良い。
【００４０】
また、上記実施の形態では、アンテナ素子４の一端で給電され、受信波長に応じて給電点から適切な距離に接地位置を定めたが、給電点は他の位置であっても良く、接地位置は、受信状態を良好に維持できる範囲で適宜定められ得る。
【００４１】
また、上記実施の形態では、測位衛星からの電波を受信する通信動作部３１について説明したが、他の電波、例えば、無線ＬＡＮなどの電波の送受信に用いられるアンテナ素子を基板接地する場合であっても本発明を適用することができる。
【００４２】
また、上記実施の形態では、金属部材２２、導電性部材２４、充電端子２１の接地ピン２１２及び板ばね部材３５を介して基板接地されているが、部品点数が増えると主に接続部分で抵抗損失が増えやすいので、より少ない点数で接続可能であればより好ましい。例えば、金属部材２２と導電性部材２４とが一体整形されていても良い。
【００４３】
また、上記実施の形態では、充電端子２１の接地ピン２１２が筐体２を貫通して設けられている場合にこれを利用して従来の構成からの変更を低減させたが、充電端子２１がない無線機器１の場合には、新たに筐体２を貫通する素子を設けて基板接地を行う。貫通経路は、最短、すなわち、壁面（筐体の側面）に対して垂直であることが好ましいが、側面部材２ａの表面形状やデザイン設計などに応じて多少傾いていても良い。この場合の素子も抵抗の小さい材質で形成又はめっきがなされていることが好ましい。また、接地ピン２１２や筐体２を貫通する素子の形状は、円柱状に限るものではなく、角柱などでも良い。また、テーパー形状など太さが変化するものであっても良い。
【００４４】
また、上記実施の形態では、給電ピン４１１と接地ピン２１２が筐体２を貫通する貫通孔は、筐体２の側面部材２ａにそれぞれ別個に設けられたが、筐体２内部の部品配置や回路基板３の信号パターンなどに応じて共通の一つの貫通孔が設けられても良い。
【００４５】
あるいは、押しボタンスイッチＰ１やＰ２の軸も筐体２を貫通しているので、これらを接地ピンとして用いることも可能である。この場合、押しボタンスイッチＰ１、Ｐ２に必要な強度の不足が起きないように、軸の一部に適切なめっきを行ったり電気伝導度の高い芯と強度の高い芯との二重構造が用いられたりしても良い。また、押下動作に伴う移動による抵抗（インピーダンス）の変動が起きないように、リード線や可撓性の板材などを用いて当該移動に対応できる形態で回路基板３や金属部材２２（接地端部４２）と接続される。
【００４６】
また、上記実施の形態では、接地部材間をねじ（ビス）で固定することとしたが、製品組み立てや分解などで問題の生じないような箇所であれば、半田などで固定しても良い。
【００４７】
また、上記実施の形態では、充電端子２１を介した基板接地と、裏蓋２ｂ及びコイルばね３７を用いた基板接地とが併用されたが、後者の基板接地がなされていなくても良い。
【００４８】
また、上記実施の形態では、防水性の構造としたが、必ずしも防水機能を有する無線機器１でなくても良い。また、筐体２の構成は、側面部材２ａと裏蓋２ｂとに別れている必要はない。裏側から筐体２内部を開放する必要のない無線機器１では、筐体２が一体形成されていても良い。
【００４９】
また、上記実施の形態では、スマートウォッチを例に挙げて説明したが、その他の無線通信（受信）機器、例えば、活動量計やＧＰＳロガーなどに本発明が用いられても良い。
その他、上記実施の形態で示した構成や構造配置などの具体的な細部は、本発明の趣旨を逸脱しない範囲において適宜変更可能である。
【００５０】
本発明のいくつかの実施形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
【００５１】
［付記］
＜請求項１＞
回路基板と、
当該回路基板上に設けられた通信動作部と、
前記回路基板及び前記通信動作部を内部に収容する筐体であって、当該筐体の側面部に貫通孔を有する筐体と、
当該筐体の外部に設けられたアンテナ素子と、
前記筐体の前記貫通孔を通って当該筐体を貫通して所定の給電位置で前記通信動作部から前記アンテナ素子に給電する給電素子と、
前記筐体の前記貫通孔を通って当該筐体を貫通して、前記アンテナ素子上で前記給電位置から所定距離離隔した接地位置と前記回路基板とを電気的に接続する接地部材と、
を備えることを特徴とする無線機器。
＜請求項２＞
前記接地部材は、
前記筐体を貫通して設けられた柱状の接地素子と、
前記接地素子に固定されて当該接地素子と前記接地位置とを電気的に接続する接続部材と、
を含むことを特徴とする請求項１記載の無線機器。
＜請求項３＞
前記接地素子は、前記通信動作部に電力を供給するバッテリを充電する充電端子の接地電圧供給経路であることを特徴とする請求項２記載の無線機器。
＜請求項４＞
前記接地部材は、固定されて前記アンテナ素子と前記回路基板との間を接続していることを特徴とする請求項１〜３のいずれか一項に記載の無線機器。
＜請求項５＞
前記接地部材の固定は、少なくとも一部がねじ止めによりなされていることを特徴とする請求項４記載の無線機器。
＜請求項６＞
前記筐体の内部への水分の侵入を防ぐ防水構造を備えることを特徴とする請求項１〜５のいずれか一項に記載の無線機器。
＜請求項７＞
前記通信動作部は、測位衛星からの電波を受信する衛星電波受信処理部を有し、
前記アンテナ素子の前記接地位置は、前記測位衛星からの受信電波の波長に応じて定められる
ことを特徴とする請求項１〜６のいずれか一項に記載の無線機器。
＜請求項８＞
前記貫通孔は、前記給電素子が貫通する第１の貫通孔と、前記接地部材が貫通する第２の貫通孔とを備えることを特徴とする請求項１〜７のいずれか一項に記載の無線機器。
【符号の説明】
【００５２】
１     無線機器
２     筐体
２ａ   側面部材
２ｂ   裏蓋
３     回路基板
４     アンテナ素子
５     カバー部材
６     タッチパネル
７     表示部
７ａ   バックライトユニット
７ｂ   液晶表示画面
８     バッテリ
２１   充電端子
２１１ 中央ピン
２１２ 接地ピン
２１２ａ      接地外周面
２１３ 防水部材
２２、２３    金属部材
２４   導電性部材
２５   ガスケット
３１   通信動作部
３３、３４    半田
３５   板ばね部材
４１   給電素子
４１１ 給電ピン
４１２ 板ばね部材
４１３ 防水部材
４２   接地端部
２２１ 板ばね部材
４２１、４２２       ねじ
Ｐ１、Ｐ２    ボタンスイッチ
【図１】
2018129573.tif 000003
【図２】
2018129573.tif 000004
【図３】
2018129573.tif 000005